(57)【要約】【課題】排気再循環装置をコンパクト化し、かつクーラ通路を通るＥＧＲガスの温度を低温に保持する。【解決手段】排気系からＥＧＲガスを吸気系に環流する低圧排気ガス環流通路１２に、ＥＧＲガスを冷却する低圧ＥＧＲ用クーラ１３を有するクーラ通路１４と、低圧ＥＧＲ用クーラをバイパスするようにクーラ通路１４に対して並列に設けられたバイパス通路１５とが設けられ、排気系に設けられた排気浄化装置８ａおよびバイパス通路を外囲する囲繞部材１７を設け、その半割体１７ａにより排気浄化装置およびバイパス通路とクーラ通路とを区画する。クーラ通路とバイパス通路とが区画部材により断熱されるため、クーラ通路とバイパス通路との近接配置が可能となり、排気再循環装置をコンパクト化し、かつクーラ通路を通るＥＧＲガスの温度を低温に保持することができる。【選択図】図２
2011007078.tif 000002
【特許請求の範囲】
【請求項１】
内燃機関の排気系に設けられた排気浄化装置と、前記排気系からＥＧＲガスを吸気系に環流する排気環流通路とを有し、
前記排気環流通路に、前記ＥＧＲガスを冷却する冷却装置を有するクーラ通路と、前記冷却装置をバイパスするように前記クーラ通路に対して並列に設けられたバイパス通路とが設けられ、
前記排気浄化装置および前記バイパス通路が配置される空間と前記クーラ通路が配置される空間とを区画する区画部材が設けられていることを特徴とする排気再循環装置。
【請求項２】
前記バイパス通路は、前記クーラ通路よりも前記排気浄化装置に近接して配置されていることを特徴とする請求項１に記載の排気再循環装置。
【請求項３】
前記排気浄化装置と前記クーラ通路と前記バイパス通路とが、それぞれの長手方向が同方向に向くようにそれぞれ配設され、
前記排気浄化装置の前記長手方向に対応する軸線方向に対して直交する面上で、前記排気浄化装置と前記クーラ通路と前記バイパス通路との各中心を結ぶ線分が鋭角三角形を形成するようにされていることを特徴とする請求項１または請求項２に記載の排気再循環装置。
【請求項４】
前記排気浄化装置と前記クーラ通路と前記バイパス通路との少なくとも２つが、前記排気浄化装置の前記長手方向に対応する軸線方向に対して直交する面上で円形状の外周となるように形成されていることを特徴とする請求項３に記載の排気再循環装置。
【請求項５】
前記区画部材は、前記クーラ通路の前記長手方向に対応する軸線方向長さが前記冷却装置の同方向長さよりも長いことを特徴とする請求項１乃至請求項４のいずれかに記載の排気再循環装置。
【請求項６】
前記区画部材は、前記排気浄化装置と前記バイパス通路とを外囲するように設けられた囲繞部材の一部により形成されていることを特徴とする請求項１乃至請求項５のいずれかに記載の排気再循環装置。
【請求項７】
前記バイパス通路を流れるＥＧＲガスの流量を調整するバイパス流量調整弁が設けられていると共に、
前記バイパス流量調整弁は、前記囲繞部材により覆われない位置に設けられていることを特徴とする請求項６に記載の排気再循環装置。
【請求項８】
前記排気環流通路は、前記排気浄化装置の下流と前記吸気系とを連通するようにされていることを特徴とする請求項１乃至請求項７のいずれかに記載の排気再循環装置。
【請求項９】
前記排気系に過給機のタービンが配置され、
前記排気環流通路は、前記タービンの下流と前記吸気系とを連通するように設けられていることを特徴とする請求項１乃至請求項８のいずれかに記載の排気再循環装置。
【請求項１０】
前記排気浄化装置は、少なくとも排気浄化触媒を有することを特徴とする請求項１乃至請求項９のいずれかに記載の排気再循環装置。
【請求項１１】
前記区画部材は断熱性を有することを特徴とする請求項１乃至請求項１０のいずれかに記載の排気再循環装置。
【発明の詳細な説明】
【技術分野】
【０００１】
本発明は、内燃機関の排気再循環装置に関し、特に、冷却装置を有するクーラ通路と、冷却装置をバイパスするバイパス通路とが設けられた排気再循環装置に関するものである。
【背景技術】
【０００２】
従来、内燃機関の排気系に排気浄化装置としての触媒を設けると共に、触媒の下流から吸気系にＥＧＲガスを環流する経路に、冷却装置（ＥＧＲクーラ）を有するクーラ通路と、冷却装置をバイパスするようにクーラ通路に対して並列に設けられたバイパス通路とを設けたものがある（例えば特許文献１参照）。
【先行技術文献】
【特許文献】
【０００３】
【特許文献１】特開２００６−０７０８５４号公報
【発明の概要】
【発明が解決しようとする課題】
【０００４】
上記特許文献１の図示例では、排気再循環装置のバイパス通路（クーラ無し通路）が、クーラ通路（クーラ有り通路）に対して、排気通路に設けられた触媒側に配置されている。その場合には、バイパス通路とクーラ通路とが互いに近接して配置されていると、クーラ通路での冷却性能や、クーラ無し通路での非冷却性能が低下する虞があった。そのため、クーラ通路の冷却性能の低下を抑制するためには、クーラ通路と触媒とを大きく離す必要があり、その場合には排気再循環装置のレイアウトの自由度が制限されたり、他の部材のレイアウトにも影響を及ぼして、装置のコンパクト化に限界が生じてしまうという問題があった。
【課題を解決するための手段】
【０００５】
このような課題を解決して、排気再循環装置をコンパクト化し、かつクーラ通路を通るＥＧＲガスの温度を低温に保持し得ることを実現するために、本発明に於いては、内燃機関の排気系に設けられた排気浄化装置（８）と、前記排気系からＥＧＲガスを吸気系に環流する排気環流通路（１２）とを有し、前記排気環流通路（１２）に、前記ＥＧＲガスを冷却する冷却装置（１３）を有するクーラ通路（１４）と、前記冷却装置（１３）をバイパスするように前記クーラ通路（１４）に対して並列に設けられたバイパス通路（１５）とが設けられ、前記排気浄化装置（８）および前記バイパス通路（１５）が配置される空間と前記クーラ通路（１４）が配置される空間とを区画する区画部材（１７ａ）が設けられているものとした。
【０００６】
これによれば、クーラ通路とバイパス通路との間の熱の伝達が区画部材により遮られるため、クーラ通路とバイパス通路との近接配置が可能となり、排気浄化装置とバイパス通路とクーラ通路との３部材をコンパクトに配置可能となる。また、排気浄化装置とバイパス通路とを区画部材に対して同じ側に配置することから、例えば排気浄化装置に触媒を設けた場合には排気浄化装置も熱をもち、バイパス通路を通るＥＧＲガスを高温状態に保つことができる。また、クーラ通路を通るＥＧＲガスの温度とバイパス通路を通るＥＧＲガスの温度との温度差が大きくなるので、クーラ通路とバイパス通路とを通る各ＥＧＲガスの流量の割合を調整して吸気系に環流するＥＧＲガスの温度の調整幅を大きく取ることができる。
【０００７】
特に、前記バイパス通路（１５）は、前記クーラ通路（１４）よりも前記排気浄化装置（８）に近接して配置されていると良い。これによれば、バイパス通路を排気浄化装置にできるだけ近づけて配置すると共に、クーラ通路と排気浄化装置とは所定の間隔をあけてできるだけ近接させることにより、コンパクト化し得ると共にクーラ通路と排気浄化装置との間隔に区画部材を配置することができる。
【０００８】
また、前記排気浄化装置（８）と前記クーラ通路（１４）と前記バイパス通路（１５）とが、それぞれの長手方向が同方向に向くようにそれぞれ配設され、前記排気浄化装置（８）の前記長手方向に対応する軸線方向に対して直交する面上で、前記排気浄化装置（８）と前記クーラ通路（１４）と前記バイパス通路（１５）との各中心を結ぶ線分が鋭角三角形を形成するようにされていると良い。これによれば、排気浄化装置とクーラ通路とバイパス通路との３つの部材の配置において、直線上に配置したり、鈍角三角形の各頂点に配置したりする場合に比べてコンパクトな配置となる。
【０００９】
また、前記排気浄化装置（８）と前記クーラ通路（１４）と前記バイパス通路（１５）との少なくとも２つが、前記排気浄化装置（８）の前記長手方向に対応する軸線方向に対して直交する面上で円形状の外周となるように形成されていると良い。これによれば、円形状に形成されているもの同士を、軸線回りの傾きを考慮することなく配置することができ、より近接させて配置することができる。
【００１０】
また、前記区画部材（１７ａ）は、前記クーラ通路（１４）の前記長手方向に対応する軸線方向長さが前記冷却装置（１３）の同方向長さよりも長いと良い。これによれば、区画部材で区画された各部材の中で温度の低い冷却装置を排気浄化装置から遮蔽することができ、冷却装置の冷却能力の低下を防止し得る。
【００１１】
また、前記区画部材（１７ａ）は、前記排気浄化装置（８）と前記バイパス通路（１５）とを外囲するように設けられた囲繞部材（１７）の一部により形成されていると良い。これによれば、排気浄化装置とバイパス通路とが囲繞部材により覆われることから、バイパス通路を通るＥＧＲガスの温度をより高温に保持することができる。
【００１２】
また、前記バイパス通路（１５）を流れるＥＧＲガスの流量を調整するバイパス流量調整弁（Ｖ５）が設けられていると共に、前記バイパス流量調整弁（Ｖ５）は、前記囲繞部材（１７）により覆われない位置に設けられていると良い。これによれば、バイパス流量調整弁は、排気浄化装置とバイパス通路とを覆う囲繞部材により覆われない位置に配置されるので、排気浄化装置やバイパス通路からの熱害を受けることが抑制され、良好な作動が維持される。
【００１３】
また、前記排気環流通路（１２）は、前記排気浄化装置（８）の下流と前記吸気系とを連通するようにされていると良い。これによれば、排気浄化装置の下流からＥＧＲガスを取り出すので、排気環流通路や吸気系の汚損を抑制し得る。また、排気浄化装置の下流からＥＧＲガスを取り出す場合には、特に意図しなくても排気環流通路が排気浄化装置近傍を通過するように配置されることになり、コンパクト化が促進される。
【００１４】
また、前記排気系に過給機（４）のタービン（４ｂ）が配置され、前記排気環流通路（１２）は、前記タービン（４ｂ）の下流と前記吸気系とを連通するように設けられていると良い。これによれば、タービンの下流からＥＧＲガスを取り出すので、ＥＧＲ導入中にも過給機の効率が低下することがない。
【００１５】
また、前記排気浄化装置（８）は、少なくとも排気浄化触媒（８ａ）を有すると良い。これによれば、排気系のうち、排気浄化装置近傍は触媒反応の影響により特に高温になる場合があるので、排気浄化装置とクーラ通路とが区画部材により区画されていることにより、クーラ通路の冷却性能の低下を抑制し得る。
【００１６】
また、前記区画部材（１７ａ）は断熱性を有すると良い。これによれば、クーラ通路とバイパス通路とが確実に断熱されるため、クーラ通路とバイパス通路とをさらに近接させて配置することが可能となる。
【発明の効果】
【００１７】
このように本発明によれば、クーラ通路とバイパス通路とが区画部材により断熱されるため、クーラ通路とバイパス通路との近接配置が可能となり、排気再循環装置をコンパクト化し、かつクーラ通路を通るＥＧＲガスの温度を低温に保持することができるため、バイパス通路とクーラ通路との間の大きなガス温度差を保持することができ、両通路の流量割合の調整によるＥＧＲガスの温度調整が容易になる。
【図面の簡単な説明】
【００１８】
【図１】本発明に基づく過給器付き内燃機関の吸排気経路図である。
【図２】排気浄化装置とバイパス通路とクーラ通路との配置関係を示す模式図である。
【図３】排気浄化装置とバイパス通路とクーラ通路との排気浄化装置の長手方向から見た配置関係を示す断面図である。
【図４】低圧ＥＧＲ用クーラの一例を示す図である。
【図５】（ａ）は低圧ＥＧＲ用クーラの第２の例を示す図であり、（ｂ）は第３の例の要部を示す図である。
【図６】（ａ）は低圧ＥＧＲ用クーラの第４の例を示す図であり、（ｂ）は第５の例を示す図である。
【発明を実施するための形態】
【００１９】
以下、本発明の実施の形態を、図面を参照しながら説明する。図１は本発明に基づく過給器付き内燃機関の吸排気経路図である。なお、本実施の形態としては内燃機関をディーゼルエンジンとして説明するが、ディーセルエンジンに限られるものではなく、ガソリンエンジンであっても良い。
【００２０】
図において、エンジン本体１の吸気側（吸気系）には各シリンダに連通する各分岐吸気通路の上流部分をまとめるインテークマニホールド２が接続されている。インテークマニホールド２から上流に延出された吸気通路２ａには、上流側から、エアクリーナ３、スロットルバルブＳＶ、過給機としてのターボチャージャ４のコンプレッサ４ａ、吸気を冷却するためのインタークーラ５がこの順に配設されていると共に、インタークーラ５をバイパスするインタークーラバイパス通路６が設けられている。
【００２１】
エアクリーナ３から入る空気は、ターボチャージャ４のコンプレッサ４ａに入り、コンプレッサ４ａで圧縮された後にインタークーラ５で冷却されて、インテークマニホールド２に送り込まれる。なお、インタークーラ５の上流側には流量調節用のインタークーラ用バルブＶ１が設けられ、インタークーラバイパス通路６には流量調節用のインタークーラバイパス用バルブＶ２が設けられている。このようにして吸気系の要部が構成されている。
【００２２】
エンジン本体１の排気側（排気系）には各シリンダに連通する各分岐排気通路の下流部分をまとめるエキゾーストマニホールド７が設けられている。エキゾーストマニホールド７から下流に延出された排気通路７ａには、上流側から、ターボチャージャ４のタービン４ｂと、排気浄化装置８を構成する排気浄化触媒（ＤＯＣ：Diesel Oxidation Catalyst）８ａと、同じく排気浄化装置８を構成するパティキュレートフィルタ（ＤＰＦ：Diesel Particulate Filter）８ｂとがこの順に配設されている。エキゾーストマニホールド７から排出される排気ガスは、その排気エネルギによりタービン４ｂを回転させた後に、排気浄化装置８にて浄化されて、マフラー１０を介して排気される。このようにして、排気系が構成されている。
【００２３】
この過給器（ターボチャージャ４）付きディーゼルエンジンには排気再循環装置が設けられている。排気再循環装置は、排気通路７ａにおけるタービン４ｂの上流で分岐してインテークマニホールド２に至る高圧排気ガス環流通路１１と、タービン４ｂの下流でありかつ排気浄化装置８の下流（かつマフラー１０の上流）から吸気通路２ａにおけるコンプレッサ４ａの上流（図示例ではエアクリーナ３の下流）に至る排気環流通路としての低圧排気ガス環流通路１２とにより構成されている。なお、高圧排気ガス環流通路１１には流量調節用の高圧ＥＧＲ用バルブＶ３が配設されている。
【００２４】
このように、ターボチャージャ４を設けたエンジンにおいて、図示例のように排気通路７ａに配置されたタービン４ｂの下流からＥＧＲガスを取り出すことにより、公知の低圧ＥＧＲシステムと同様に、ＥＧＲガスの導入中にもターボチャージャ４の効率が低下しない。
【００２５】
低圧排気ガス環流通路１２には、ＥＧＲガス（排気環流ガス）を冷却するための冷却装置としての低圧ＥＧＲ用クーラ１３を有するクーラ通路１４と、低圧ＥＧＲ用クーラ１３をバイパスするバイパス通路としての低圧ＥＧＲクーラバイパス通路１５とが互いに並列に設けられている。低圧ＥＧＲ用クーラ１３の下流側には低圧ＥＧＲクーラ用バルブＶ４が設けられ、低圧ＥＧＲクーラバイパス通路１５には低圧ＥＧＲクーラバイパス通路１５を流れるＥＧＲガスの流量を調整するバイパス流量調整弁としての低圧ＥＧＲクーラバイパス用バルブＶ５が設けられている。なお、低圧排気ガス環流通路１２は、各バルブＶ４・Ｖ５の下流側で合流して１つの通路になり、低圧ＥＧＲ用バルブＶ６を介して吸気通路２ａにおけるコンプレッサ４ａの上流に接続されている。
【００２６】
なお、上記各バルブＶ１〜Ｖ６の開閉制御（全開または全閉または中間開度の制御）を行うための制御ユニット（ＥＣＵ）１６が設けられている。各バルブＶ１・Ｖ２・Ｖ４・Ｖ５に対する制御ユニット１６による開度制御により流量が調整される。また、上記吸排気経路には、上記構成に限られず、エンジン制御や排気浄化に用いられる公知の部品等が適所に配設され、制御ユニット１６により制御されるが、それらについては図示および説明を省略する。
【００２７】
このようにして構成された排気再循環装置の各部品の配置状態を、図２及び図３を参照して以下に説明する。図２は、排気浄化装置８と低圧ＥＧＲクーラバイパス通路１５とクーラ通路１４（低圧ＥＧＲ用クーラ１３）とをそれぞれの重なり合いを無くすよう展開して描画した模式図であり、図３は、排気浄化装置８の長手方向（排気の流れる方向）に対応する軸線方向に対して直交する面で見た排気浄化装置８と低圧ＥＧＲクーラバイパス通路１５とクーラ通路１４との配置関係を示す模式図である。
【００２８】
排気浄化装置８と低圧ＥＧＲクーラバイパス通路１５とが、図２の二点鎖線で示されるように囲繞部材１７により外囲されている。囲繞部材１７は、図３に示されるように、２枚の板材をそれぞれ断面形状で凹状に形成した各半割体１７ａ・１７ｂを、互いの凹形状における開口同士を対向させて合わせて一体化し、全体として略矩形断面形状になるように形成されている。その矩形断面の内側に排気浄化装置８と低圧ＥＧＲクーラバイパス通路１５とが収納されており、それら排気浄化装置８及び低圧ＥＧＲクーラバイパス通路１５と低圧ＥＧＲ用クーラ１３との間を横切るように囲繞部材１７の一方の半割体１７ａが配置されている。その半割体１７ａは、低圧ＥＧＲ用クーラ１３が配置された空間と、他の２部材（排気浄化装置８・低圧ＥＧＲクーラバイパス通路１５）が配置された空間とを区画する区画部材として設けられている。
【００２９】
排気再循環装置における上記構成によれば、排気浄化装置８の下流からＥＧＲガスを取り出すことから、低圧排気ガス環流通路１２（ＥＧＲ通路）や吸気通路２ａの汚損を抑制し得る。さらに、上記配管構成により、低圧排気ガス環流通路１２が排気浄化装置８の近傍を通過するようになり、排気浄化装置８と低圧排気ガス環流通路１２（クーラ通路１４・低圧ＥＧＲクーラバイパス通路１５）とを構成する３つの部材を互いに近接させたコンパクトな配置が可能となる。
【００３０】
また、上記したように、排気浄化装置８に対して、低圧ＥＧＲクーラバイパス通路１５が低圧ＥＧＲ用クーラ１３よりも近接して配置されていることから、例えば３つの部材（排気浄化装置８・低圧ＥＧＲクーラバイパス通路１５・低圧ＥＧＲ用クーラ１３）の配置範囲をコンパクト化し得るように限定した場合に、排気浄化装置８と低圧ＥＧＲクーラバイパス通路１５とをできるだけ近づけて配置することができる。これにより、低圧ＥＧＲクーラバイパス通路１５とクーラ通路１４とを近接状態ではあるが所定の間隔を残すように配置することができ、その間隔を利用して区画部材としての一方の半割体１７ａを配置して、全体としてのコンパクト化を維持しつつ高温部分（排気浄化装置８及び低圧ＥＧＲクーラバイパス通路１５）と低温部分（低圧ＥＧＲ用クーラ１３）とを区画部材（半割体１７ａ）により区画することができる。
【００３１】
低圧ＥＧＲクーラバイパス通路１５には高温のＥＧＲガスが流れ、排気浄化装置８では図示例のように排気浄化触媒８ａを設けていることにより触媒反応の影響により特に高温になる場合がある。このように低圧ＥＧＲクーラバイパス通路１５及び排気浄化装置８は高温になるが、区画部材としての半割体１７ａによりクーラ通路１４に対する伝熱が抑制されるため、クーラ通路１４を流れるＥＧＲガスの低温状態が保持される。なお、区画部材（半割体１７ａ）は断熱材で形成されていることがより好ましい。また、他方の半割体１７ｂは断熱材である必要性は無いが、断熱材で形成されていて良い。
【００３２】
これにより、低圧ＥＧＲクーラバイパス通路１５を通るＥＧＲガスの温度を高温に保つことが可能になると共に、クーラ通路１４を通ることにより低温になったＥＧＲガスが近くの熱源（低圧ＥＧＲクーラバイパス通路１５及び排気浄化装置８）により暖められてしまうことを防止し得る。このため、低圧ＥＧＲクーラバイパス通路１５とクーラ通路１４とを通る各ＥＧＲガスの温度差が大きくなるので、両通路１４・１５の下流で合流して吸気系に環流されるＥＧＲガスの温度の調整幅が大きくなり、排気再循環装置における制御を容易に行うことができる。
【００３３】
また図３に示されるように、排気流れ方向に沿う軸線方向から見た断面視で、排気浄化装置８の中心Ｃ１と、クーラ通路１４（低圧ＥＧＲ用クーラ１３）の中心Ｃ２と、低圧ＥＧＲクーラバイパス通路１５の中心Ｃ３とを結ぶ線分（図の二点鎖線）により鋭角三角形が形成されている。このように配置されていることにより、３つの部材（排気浄化装置８・低圧ＥＧＲクーラバイパス通路１５・クーラ通路１４）をコンパクトに配置することができる。それに対して、各中心が直線上に配置されたり、鈍角三角形の各頂点に配置されたりした場合には上記３つの部材はコンパクトな配置とならない。
【００３４】
また図３に示されるように、排気浄化装置８と低圧ＥＧＲクーラバイパス通路１５との外周を円形状に形成することにより、それぞれ軸線回りの傾きを考慮することなく配置することができ、両部材８・１５を互いにより近接して配置可能となり、それにより装置全体のコンパクト化を促進し得る。なお、３つの部材（排気浄化装置８・低圧ＥＧＲクーラバイパス通路１５・クーラ通路１４）の内、少なくとも２つを円形にすれば良く、上記２部材８・１５のいずれか一方とクーラ通路１４との２部材を円形の外周となる形状にしても良い。または、３つの部材共、各外周を円形に形成しても良い。その場合には、低圧ＥＧＲ用クーラ１３の外周も円形に形成すると良く、低圧ＥＧＲ用クーラ１３及びクーラ通路１４が排気浄化装置８と低圧ＥＧＲクーラバイパス通路１５との間に入り込むように配置でき、よりコンパクトな配置が可能になる。なお、その場合には区画部材は蛇行するような形状となる。
【００３５】
また、図２に示されるように、低圧ＥＧＲ用クーラ１３のガス流れ方向の軸線方向長さＬ１よりも、区画部材としての半割体１７ａの同方向の長さＬ２が長くされている（Ｌ２＞Ｌ１）。また、半割体１７ａの長さＬ２は、低圧ＥＧＲ用クーラ１３に対して排気浄化装置８を確実に遮る長さであり、これにより、クーラ通路１４のうち温度の低い低圧ＥＧＲ用クーラ１３の部分が排気浄化装置８から遮蔽されるため、低圧ＥＧＲ用クーラ１３の冷却能力が低下することがない。
【００３６】
また、バイパス流量調整弁としての低圧ＥＧＲクーラバイパス用バルブＶ５は囲繞部材１７の外、すなわち囲繞部材１７により覆われない位置に設けられている。このようにすることにより、高精度な制御が要求される低圧ＥＧＲクーラバイパス用バルブＶ５を熱害から抑制し得る。
【００３７】
なお、上記実施形態ではＥＧＲガスを、タービン４ｂの下流かつ排気浄化装置８の下流から環流するようにしたが、タービン４ｂの上流や排気浄化装置８の上流から環流するようにしても良い。また、排気浄化装置８に排気浄化触媒（ＤＯＣ）８ａを設けた例を示したが、パティキュレートフィルタ８ｂに触媒が担持されるものであっても良い。
【００３８】
また、上記図示例の低圧ＥＧＲ用クーラ１３は、様々の形態のものを適用可能である。その一例を示す図４では、拡幅部１３ａ内に複数の熱伝導の大きい部材からなる伝熱部材１３ｂが市松模様のように配設されていると共に、各伝熱部材１３ｂは外部の図示されない冷却源（空冷や水冷式の熱交換器）と結合されている。
【００３９】
また、図５（ａ）に別の低圧ＥＧＲ用クーラ２１の例を示す。図５（ａ）の例では、拡幅部２１ａの外周面に対して冷却水（冷媒）が流通可能な冷媒流路２１ｃが形成されるように、拡幅部２１ａを隙間をあけて筒状に外囲するジャケット２１ｂが設けられている。また、図５（ｂ）に示される低圧ＥＧＲ用クーラ３１の場合には、図では拡幅部３１ａの一部が示されているが、その拡幅部３１ａ内に複数の中空体３１ｂが配設され（図では横一列であるが図４のように市松模様状であっても良い）、各中空体３１ｂの空洞により冷却水（冷媒）が流通可能な冷媒流路３１ｃが形成されている。
【００４０】
また、図６（ａ）・（ｂ）に示される例では、例えばクーラ通路１４と同一径のままとした形状の低圧ＥＧＲ用クーラ４１として、その内部に複数のフィン４１ａ・４１ｂを配設している。各フィン４１ａ・４１ｂは、図４の例と同様に外部に設けられた熱交換器（図示せず）と結合されている。
【００４１】
図６（ａ）に示す例では、複数の伝熱フィン４１ａが、長手方向がＥＧＲガスの流れ方向（図の矢印）に沿ってそれぞれ延在するように配置されている。また、図６（ｂ）に示す例では、複数の伝熱フィン４１ｂが、長手方向がＥＧＲガスの流れ方向に直交する向きにそれぞれ延在するように配置されている。また、図６の各例では、複数の伝熱フィン４１ａ・４１ｂは、互い違いに並ぶように市松模様状に配置されている。なお、伝熱フィンに代えて、伝熱チューブを配置しても良い。
【００４２】
なお、低圧ＥＧＲ用クーラには上記各形態が適用可能であるが、水冷式の熱交換構造のものを用いることにより、空冷式のものに対してよりコンパクト化が可能である。
【符号の説明】
【００４３】
４  ターボチャージャ（過給機）
４ｂ  タービン
８  排気浄化装置
８ａ  排気浄化触媒
１２  低圧排気ガス環流通路（排気環流通路）
１３  低圧ＥＧＲ用クーラ（冷却装置）
１４  クーラ通路
１５  バイパス通路
１７  囲繞部材
１７ａ  半割体（区画部材）
Ｖ５  低圧ＥＧＲクーラバイパス用バルブ（バイパス流量調整弁）
【図１】
2011007078.tif 000003
【図２】
2011007078.tif 000004
【図３】
2011007078.tif 000005
【図４】
2011007078.tif 000006
【図５】
2011007078.tif 000007
【図６】
2011007078.tif 000008